(57)【要約】  まず、ステップＳ０において処理を開始し、ステップＳ１において据え置きＴＶ２００からコンテンツを携帯端末１００へ送信する。携帯端末１００でコンテンツ視聴中に、ステップＳ２において据え置きＴＶ２００で視聴したい部分があれば（ＹＥＳ）、ステップＳ３に進み再視聴したい期間の開始位置と終了位置とを入力する。ステップＳ４においてこの視聴期間情報を記録部に記憶する。ステップＳ５において、視聴期間情報を据え置きＴＶへ送信する。ステップＳ６において、視聴期間情報に基づいて据え置きＴＶでコンテンツを再生し処理を終了する（ステップＳ７）。これにより、携帯端末でコンテンツの視聴を行い、再度据え置きＴＶで特定の部分を視聴する場合、コンテンツの選択，早送りなどの煩雑な操作からユーザを解放することができる。
2007043427.tif 000002
【特許請求の範囲】
【請求項１】
コンテンツを出力するコンテンツ出力部と、
入力部と、
該入力部により入力されたコンテンツの視聴期間に関する視聴期間情報を他の視聴装置へ出力する視聴期間情報送信部と
を有することを特徴とする視聴装置。
【請求項２】
コンテンツを出力するコンテンツ出力部と、
他の視聴装置から送られる視聴期間情報を受信する視聴期間情報受信部と、
受信した前記視聴期間情報で指定される期間だけコンテンツを出力する制御を行う制御部と
を有することを特徴とする視聴装置。
【請求項３】
前記視聴期間情報が、１つのコンテンツに対して複数設定されており、複数の設定されている期間のうちいずれか又は全ての期間のコンテンツを出力することを特徴とする請求項１又は２に記載の視聴装置。
【請求項４】
視聴機器間通信機能を有し、前記視聴期間情報に含まれるコンテンツ情報により指定されるコンテンツが視聴機器内に存在しない場合に前記視聴期間情報を送信した視聴装置からのコンテンツの転送を依頼することを特徴とする請求項１から３までのいずれか１項に記載の視聴装置。
【請求項５】
前記視聴期間情報に含まれるコンテンツ情報が指定するコンテンツが視聴機器内に存在しない場合に、該コンテンツを保持する記録装置を検索し、該コンテンツを保持する記録装置があった場合に、該コンテンツの転送を依頼することを特徴とする請求項１から３までのいずれか１項に記載の視聴装置。
【請求項６】
インターネット通信機能を有し、前記視聴期間情報に含まれるコンテンツ情報が指定するコンテンツが視聴機器内に存在しない場合に、インターネット上を検索して所望のコンテンツがあった場合に該コンテンツの転送を依頼することを特徴とする請求項１から３までのいずれか１項に記載の視聴装置。
【請求項７】
前記視聴期間情報に含まれるコンテンツ情報はコンテンツを特定する識別情報であり、該識別情報により特定されたファイルの指定期間を出力することを特徴とする請求項１から６までのいずれか１項に記載の視聴装置。
【請求項８】
前記識別情報は、コンテンツのファイル名又はコンテンツ固有のＩＤであることを特徴とする請求項７に記載の視聴装置。
【請求項９】
前記視聴期間情報を、インターネットを通じて他の視聴装置と送受信する制御が可能であることを特徴とする請求項１から８までのいずれか１項に記載の視聴装置。
【請求項１０】
前記コンテンツは楽音が記録されていることを特徴とする請求項１から９までのいずれか１項に記載の視聴装置。
【請求項１１】
前記コンテンツは動画が記録されていることを特徴とする請求項１から９までのいずれか１項に記載の視聴装置。
【請求項１２】
第１のコンテンツ記録再生機器から第２のコンテンツ記録再生機器にコンテンツを送信するステップと、
第２のコンテンツ記録再生機器においてコンテンツ視聴中に、再視聴したい期間の開始位置と終了位置とを含む視聴期間情報を入力するステップと、
該視聴期間情報を第１のコンテンツ記録再生機器に送信するステップと、
前記視聴期間情報に基づいて第１のコンテンツ記録再生機器でコンテンツを再生するステップと
を有するコンテンツ処理方法。
【発明の詳細な説明】
【技術分野】
【０００１】
本発明は、動画や音楽を視聴する視聴装置および視聴方法に関し、特に携帯端末のような第１の視聴装置と、家庭内にある据え置きＴＶのような第２の視聴装置とで、片方の視聴装置で指定したコンテンツのある期間を他方の視聴装置で視聴可能な視聴装置および視聴方法に関する。
【背景技術】
【０００２】
従来、携帯端末と据え置きＴＶとの連携に関する技術については、例えば特許文献１に記載されている。この文献では、携帯端末から据え置きＴＶ、または据え置きＴＶから携帯端末へ継続視聴情報を送信し、片方の端末で視聴していたコンテンツの続きを他方の端末で視聴することが記載されている。
【特許文献１】特開２００４−４８１３２号公報、「視聴装置および視聴方法」
【発明の開示】
【発明が解決しようとする課題】
【０００３】
しかしながら、特許文献１の技術においては、最初にユーザが視聴していたコンテンツの続きを他方の端末で視聴することができるが、例えば携帯端末で視聴していたコンテンツを、ユーザがこの部分を帰宅後に据え置きＴＶで見たいと思っても、早送りや巻き戻しの操作をユーザ自身が行わなければならなかった。また、携帯端末にあるコンテンツであって、据え置きＴＶにはないコンテンツに関しては継続して視聴することはできなかった。【０００４】
本発明は、片方の視聴装置で指定したコンテンツのある期間を他方の視聴装置で視聴する際の自由度を高めることを目的とする。
【課題を解決するための手段】
【０００５】
本発明の一観点によれば、コンテンツを出力するコンテンツ出力部と、入力部と、該入力部により入力されたコンテンツの視聴期間に関する視聴期間情報を他の視聴装置へ出力する視聴期間情報送信部と、を有することを特徴とする視聴装置が提供される。他の視聴装置では、この視聴装置から送信された視聴期間情報を受信し、ユーザが再度視聴したい期間として指定した期間のみ他の視聴装置においてコンテンツを視聴することが可能となる。【０００６】
また、コンテンツを出力するコンテンツ出力部と、他の視聴装置から送られる視聴期間情報を受信する視聴期間情報受信部と、受信した前記視聴期間情報で指定される期間だけコンテンツを出力する制御を行う制御部とを有することを特徴とする視聴装置が提供される。この視聴装置では、他の視聴装置から送信された視聴期間情報を受信し、ユーザが再度視聴したい期間として指定した期間のみこの視聴装置においてコンテンツを視聴することが可能となる。【０００７】
視聴機器間通信機能を有し、前記視聴期間情報に含まれるコンテンツ情報により指定されるコンテンツが視聴機器内に存在しない場合に前記視聴期間情報を送信した視聴装置からのコンテンツの転送を依頼することが可能である。受信した視聴期間情報により指定されたコンテンツが視聴装置内部に記録されていない場合、自動的にコンテンツを検索し、それを再生することにより、視聴装置内に存在しないコンテンツも視聴することが可能となる。
【発明の効果】
【０００８】
本発明によれば、複数の機器間において同じコンテンツの視聴に関する処理の自由度を高めることができる。
【図面の簡単な説明】
【０００９】
【図１】本発明の第１の実施の形態による視聴装置（携帯端末，据え置きＴＶ等）の一構成例を示す機能ブロック図である。
【図２】本発明の第３実施例による視聴装置（据え置きＴＶ）の構成例を示す図である。
【図３】図２の据え置きＴＶに加えて、記録装置が家庭内のネットワークへ接続されている構成を示す図である。
【図４】本発明の第４実施例による構成例であって、図２のネットワーク接続部が家庭内ネットワークだけでなくインターネットへの接続機能がある場合の例を示す図である。
【図５】視聴期間情報の構成例を示す図である。
【図６】本発明の第５実施例による構成であり、視聴装置が家庭内のネットワークに接続され、またルータ経由でインターネットと接続されている構成を示す図である。
【図７】本発明の第１実施例による処理の流れを示すフローチャート図である。
【図８】本発明の第２実施例による処理の流れを示すフローチャート図である。
【図９】本発明の第４実施例による処理の流れを示すフローチャート図である。
【符号の説明】
【００１０】
１００  携帯端末
２００  据え置きＴＶ
２５０  他の家庭の据え置きＴＶ
３００  家庭内ネットワーク
３５０  インターネット
４００  コンテンツ記録装置
５００  ルータ
６００  コンテンツサーバ
７００  視聴期間情報ファイル
【発明を実施するための最良の形態】
【００１１】
以下、本発明の第１の実施の形態の構成について図面を参照しながら詳細に説明する。図１は、本発明の第１の実施の形態による視聴装置（携帯端末，据え置きＴＶ等）の一構成例を示す機能ブロック図である。図１に示すように、第１の実施の形態による視聴装置を用いると、ユーザが携帯端末１００を持って外出し、コンテンツを閲覧した際に自宅で再度閲覧したい部分を指定した後、自宅へ帰り、外出先で指定した部分を据え置きＴＶ２００で閲覧することができる。【００１２】
この場合、携帯端末１００および据え置きＴＶ２００においては、記録部１０６および２０６のそれぞれに同じコンテンツが記録されている。但し、記録されている内容が同じであれば、それぞれの記録部１０６、２０６に記録されているコンテンツを作成する際に使用されたコーデックの種類やビットレート、画面サイズなどは異なっていても良い。コンテンツとしては、据え置きＴＶ２００でテレビ放送を録画したコンテンツなどが対象となる。据え置きＴＶ２００の情報送受信部２０３および携帯端末１００の情報送受信部１０３を利用してコンテンツを据え置きＴＶ２００から携帯端末１００へコンテンツを送信する。情報送受信部１０３および２０３では、ＵＳＢやＩＥＥＥ１３９４などのケーブル接続、ＩｒＤＡ、ＢｌｕｅｔｏｏｔｈやＩＥＥＥ８０２．１１シリーズなどの無線接続を利用することによりコンテンツの送受を行うことができる。また、コンパクトフラッシュカード（登録商標）、ＳＤカード（登録商標）などの記録メディア（媒体）を介して据え置きＴＶ２００から携帯端末１００へコンテンツを転送することも可能である。この際、据え置きＴＶ２００内部で携帯端末１００の能力に合わせてコンテンツの再符号化などを行った後に、携帯端末１００へコンテンツを転送しても良い。【００１３】
以下、より具体的に本実施の形態について説明する。
【実施例】
【００１４】
<実施例１>
ユーザは、携帯端末１００を所持して外出し、コンテンツを閲覧する。コンテンツは記録部１０６に記録されており、データサイズを小さくするために符号化されているのが一般的である。このため、コンテンツを再生するためにユーザが入力部１０２を操作してコンテンツ再生を指示すると、ＣＰＵ１０５が記録部１０６およびコンテンツ復号部１０４を制御して符号化されたコンテンツを復号した後、コンテンツ出力部１０１からコンテンツを出力する。【００１５】
携帯端末１００は携帯性を重視した端末であるので、据え置きＴＶ２００に比較すると表示に用いるディスプレイは小さく、スピーカの音響特性も劣るのが一般的である。このため携帯端末１００での閲覧は、据え置きＴＶ２００より臨場感などは劣ってしまう。従って、ユーザには携帯端末でコンテンツを閲覧している際でも、コンテンツのある特定の期間は再度据え置きＴＶ２００で閲覧したいという欲求が生まれるのが自然である。従来は携帯端末１００と据え置きＴＶ２００との間で再度閲覧したい部分を共有する技術が十分ではなかったため、帰宅後にユーザが据え置きＴＶ２００の入力部２０２を操作して、再度閲覧したいコンテンツを選択し、早送りや巻き戻しを行っていた。このため、操作が煩雑であるとともに、複数閲覧したい期間がある場合があっても、ユーザ自身がすべての期間を覚えていることが難しいため見逃してしまう場合があった。【００１６】
本実施例では、携帯端末１００でコンテンツを閲覧途中に、据え置きＴＶ２００で閲覧したい部分があった場合に、ユーザは入力部１０２を通して再視聴したい期間の開始位置と終了位置とを入力する。期間の入力は視聴中に開始／終了位置を指定することができる位置指定ボタンを用意しても良いし、コンテンツ表示画面にコンテンツ先頭からの時間を表示させ、開始／終了の時間を入力させるためにテンキー等を用意しても良い。再視聴したい期間が入力されると、ＣＰＵ１０５は記録部１０６へ視聴期間情報として記録する。図１の構成に加えて一時記憶用のメモリを設け、そこに視聴期間情報を記録しておいても良い。【００１７】
携帯端末１００は、他の視聴装置で指定した期間の再視聴を可能にするため、情報送受信装置１０３を用いて視聴期間情報を他の視聴装置に送信する。なお、視聴期間情報は端末メーカの独自フォーマットでも良いが、様々な機器間で交換されることが想定され、共通化可能なＸＭＬ形式などによって記述することが好ましい。【００１８】
次に、視聴期間情報について説明する。視聴期間情報の例としては、図５に示すようなデータ構造が考えられる。視聴期間情報を格納するファイル７００は、ユーザが指定した複数の視聴期間を示す情報である期間情報７０２、７０３、７０４を格納している。期間情報は、視聴を開始する時間と終了する時間とがそれぞれ格納されている。また、視聴期間情報を格納するファイル７００は、視聴するコンテンツを識別するコンテンツ識別子７０１も格納している。コンテンツ識別子７０１には、視聴するコンテンツのファイル名が格納されている。【００１９】
尚、視聴するコンテンツのファイル名はコンテンツ識別子７０１のようにファイル内部に格納するのではなく、視聴期間情報を格納するファイル７００のファイル名としてもよい。つまり、コンテンツのファイル名と同じ、もしくは拡張子のみを変えたものを視聴期間情報が格納されるファイル７００のファイル名とすることで、視聴するコンテンツを識別することも可能である。【００２０】
また、期間情報７０４は期間の開始時間および終了時間の両方が記録されている必要はなく、開始時間のみ記録されている場合には、その開始時間以降を視聴することを意味し、携帯端末１００での視聴していた最後の時間を開始時間と設定することで、携帯端末１００で視聴していた続きを据え置きＴＶ２００で視聴することが可能となる。ユーザは、帰宅後に再視聴を行うために携帯端末１００の入力部１０２を操作し、視聴期間情報を携帯端末１００から据え置きＴＶ２００へ送信する。この際、視聴期間情報は携帯端末１００のＣＰＵの制御により、記録部１０６から情報送受信部１０３へ送られる。情報送受信部１０３から出力された視聴期間情報は、据え置きＴＶ２００の情報送受信部２０３で受信される。視聴期間情報が受信されるとＣＰＵ２０５は、視聴期間情報に含まれるコンテンツ識別子を読み出し、記録部２０６に記録される該当コンテンツを再生する。コンテンツが符号化されている場合にはコンテンツ復号部２０４を制御しコンテンツを復号する。このときＣＰＵ２０５は視聴期間情報に含まれる再視聴したい期間を読み出し、記録部２０６、および必要であればコンテンツ復号部２０４を制御し、ユーザが指定した期間をコンテンツ出力部２０１より出力する。【００２１】
図７を参照しながら、動作の流れについて説明する。まず、ステップＳ０において処理を開始し、ステップＳ１において据え置きＴＶ２００からコンテンツを携帯端末１００へ送信する。携帯端末１００でコンテンツ視聴中に、ステップＳ２において据え置きＴＶ２００で視聴したい部分があれば（ＹＥＳ）、ステップＳ３に進み再視聴したい期間の開始位置と終了位置とを入力する。ステップＳ４においてこの視聴期間情報を記録部に記憶する。ステップＳ５において、視聴期間情報を据え置きＴＶへ送信する。ステップＳ６において、視聴期間情報に基づいて据え置きＴＶでコンテンツを再生し処理を終了する（ステップＳ７）。【００２２】
尚、携帯端末１００でユーザが指定した期間が複数ある場合は、据え置きＴＶ２００でコンテンツ再生前に、複数の候補をコンテンツ出力部２０１に文字、サムネイル画像などを出力して入力部２０２を使ってユーザに選択させても良いし、複数の期間をつぎつぎと出力するだけでも良い。【００２３】
<実施例２>
次に、本発明の第２実施例による技術について説明する。第１の実施例を前提とした場合で、携帯端末１００から据え置きＴＶ２００へ視聴期間情報を送信した際に、視聴期間情報で指定されるコンテンツが据え置きＴＶ２００の記録部２０６に存在しない場合がある。例えば、ユーザの外出中に該当コンテンツを家族が入力部２０２を操作して消去した場合や、据え置きＴＶ２００からコンテンツを転送したのではなく、携帯端末１００で無線ＬＡＮなどのネットワークを通じてコンテンツをダウンロードした場合が考えられる。【００２４】
このような場合には、据え置きＴＶ２００は情報送信部２０３を通じて、携帯端末１００へコンテンツの転送を依頼する。携帯端末１００が情報送受信部１０３を通じてコンテンツの転送依頼を受信すると、ＣＰＵ１０５は記録部１０６からコンテンツ情報を読み出して転送可能なコンテンツかどうか確認し、転送可能な場合は記録部１０６から情報送受信部１０３へコンテンツを転送する。情報送受信部１０３へ転送されたコンテンツは据え置きＴＶ２００へ送信される。据え置きＴＶ２００では情報送受信部２０３を通じて受信したコンテンツを記録部２０６へ一旦記録する。コンテンツ全てを記録し終わると、前もって受信した視聴期間情報をもとにして、指定期間の再生を開始し、コンテンツ出力部２０１から出力する。【００２５】
尚、上記の例では、携帯端末１００から据え置きＴＶ２００へコンテンツの全てを転送して、指定期間のみを再生したが、携帯端末１００が視聴期間情報をもとにコンテンツの指定された期間のみを転送し、据え置きＴＶ２００で出力してもよい。【００２６】
図８に示すように、図７のステップ５から、ステップＳ８においてコンテンツが据え置きＴＶ内に存在するか否かを判断する。据え置きＴＶ内に存在する場合にはステップＳ６に進み、存在しない場合にはステップＳ９に進む。ステップＳ９において、コンテンツが転送可能かどうかを判断し、転送不可の場合には（Ｎｏ）処理を終了する（ステップＳ１２）。転送可能な場合には（Ｙｅｓ）、ステップＳ１１に進みコンテンツを転送し、ステップＳ６に進む。【００２７】
<実施例３>
次に、本発明の第３実施例について説明する。図２に示すように、本実施例においては、据え置きＴＶ２００がネットワーク接続部２０７を有し、家庭内のネットワーク３００へ接続されている。このとき、図３に示すように、家庭内のネットワーク３００には、別のコンテンツ記録装置４００が接続されている。携帯端末１００から視聴期間情報を受信した際に、据え置きＴＶ２００の記録部２０６に該当コンテンツがない場合に、据え置きＴＶ２００は家庭内のネットワーク上の記録装置を探索する。探索した結果、記録装置４００が発見されると、記録装置４００に該当コンテンツがないか否かを検索する。コンテンツの検索は、据え置きＴＶ２００が記録装置４００から記録装置４００が記録するコンテンツのリストを受信して行ってもよいし、据え置きＴＶ２００から記録装置４００へコンテンツに関する情報を送信して、記録装置４００が行っても良い。【００２８】
該当するコンテンツが見つかると、記録装置４００から該当コンテンツを据え置きＴＶ２００へ家庭内ネットワーク３００を通じて転送する。転送されたコンテンツは記録部２０６へ一旦記録する。コンテンツ全てを記録し終わると、前もって受信した視聴期間情報をもとにして、指定期間の再生を開始し、コンテンツ出力部２０１から出力する。【００２９】
上記実施例では、記録装置４００から据え置きＴＶ２００へコンテンツの全てを転送して、指定期間のみを再生する例について説明したが、据え置きＴＶ２００から記録装置４００へ視聴期間情報を家庭内ネットワーク３００を通じて送信し、記録装置４００が視聴期間情報をもとにコンテンツの指定された期間のみのコンテンツを転送し、据え置きＴＶ２００で出力してもよい。【００３０】
尚、図２では情報送受信装置２０３とネットワーク接続部２０７とが別々に記載されているが両方の機能を１つの送受信部にまとめた構成でも良い。【００３１】
<実施例４>
本実施例は、図２のネットワーク接続部２０７が家庭内ネットワークだけでなくインターネットへの接続機能がある場合、すなわち、図４に示すように、インターネット３５０と接続されているケースである。図４に示す構成のように、家庭内ネットワーク３００とインターネットとの間にはデータのルーティングを行うルータ５００を設けても良い。【００３２】
携帯端末１００から視聴期間情報を受信した際に、据え置きＴＶ２００の記録部２０６に該当コンテンツがない場合に、据え置きＴＶ２００は家庭内のネットワーク上の記録装置を探索する。探索した結果、記録装置４００を発見されると、記録装置４００に該当コンテンツがないか否かを検索する。家庭内の記録装置は１台に限定されず、複数台あって良い。複数台の場合は、該当コンテンツが発見されるか、すべての記録装置に該当コンテンツがないことが確認されるまで検索が継続される。【００３３】
家庭内の機器で該当コンテンツが見つからない場合、据え置きＴＶ２００はインターネット上に該当コンテンツがないかについて検索する。検索はインターネット上にある一般的な検索エンジンを利用しても良いし、コンテンツ検索用の特殊な検索エンジンが用意される場合もある。【００３４】
該当コンテンツが見つかると、該当コンテンツを保持するコンテンツサーバ６００から該当コンテンツを据え置きＴＶ２００へ家庭内ネットワーク３００を通じて転送する。転送されたコンテンツは記録部２０６へ一旦記録される。コンテンツ全てを記録し終わると、前もって受信した視聴期間情報をもとにして指定期間の再生を開始し、コンテンツ出力部２０１から出力する。【００３５】
図９に示すように、ステップＳ５からステップＳ１３に進み、コンテンツが据え置きＴＶ内に存在するか否かを判断し、Ｙｅｓの場合にはステップＳ６に進む。Ｎｏの場合にはステップＳ１４に進み、家庭内のネットワーク上の記録装置を探索する。次いで、ステップＳ１５において記憶装置を検索できたか否かを判断し、Ｙｅｓの場合にはステップＳ１６に進み、発見した記録装置に所望のコンテンツがあるか判断する。Ｙｅｓの場合にはステップＳ１７に進み、記録装置に対してコンテンツの転送を依頼し、ステップＳ６に進む。【００３６】
Ｎｏの場合には、ステップＳ１５に戻り他の記録装置を検索する。ステップＳ１５においてＮｏの場合には、ステップＳ１８に進み、インターネットでコンテンツを検索し、ステップＳ１９においてコンテンツがあるか否かを判断する。コンテンツが有る場合には（Ｙｅｓ）ステップ２０においてインターネットを介してコンテンツを視聴し、ステップＳ６に戻る。コンテンツがない場合（Ｎｏ）には、ステップＳ２１に進み処理を終了する。【００３７】
尚、視聴するコンテンツを識別するための識別子は、上記のようなファイル名以外に、コンテンツ固有のＩＤでもよい。コンテンツ固有のＩＤは、コンテンツ自身のファイルにメタデータとして含まれ、そのコンテンツを示す唯一の番号である。このＩＤはファイル名が変更されても変わることがなく、またコンテンツを再符号化した場合にも引き継がれる。このため、ビットレートや画像の大きさなどが異なる複数のファイルであっても同じ内容のコンテンツであれば、同じＩＤをつけることができる。つまり、携帯端末１００および据え置きＴＶ２００に最適なビットレートや画像の大きさのコンテンツがそれぞれ記録されている場合であっても同じＩＤを持つため、片方の視聴装置で視聴期間を指定し、指定された視聴期間を他方の視聴装置で視聴することが可能となる。【００３８】
尚、違う内容のコンテンツが偶然に同一のファイル名であっても識別することが可能となり、コンテンツの検索にも有効である。【００３９】
<実施例５>
図６に示すように、本実施例によれば、視聴装置２００が家庭内のネットワーク３００に接続され、またルータ５００経由でインターネット３５０と接続されている。また、別の家庭の視聴装置２５０は家庭内のネットワーク３０２に接続され、またルータ５０１経由でインターネット３５０に接続されている。視聴装置２００を使うユーザが、あるコンテンツの自分の気に入った期間を他のユーザに知らせるため、視聴期間情報をメールに添付するなどして視聴装置２５０へ送信する。これにより視聴装置２５０を使用するユーザは他方のユーザの気に入ったコンテンツのお勧め期間を簡単に視聴することが可能となる。【００４０】
視聴装置２５０に視聴装置２００で指定されたコンテンツがない場合は、前記に述べたようにインターネット上を検索して目的のコンテンツを入手することも可能である。【００４１】
尚、上記コンテンツがＭＰ３やＡＡＣなどの符号化されたコンテンツである場合、携帯端末１００の音響特性では聴きにくい部分のみを、据え置きＴＶ２００で聴くことが可能となる。また、携帯端末１００では再生の困難な５．１ｃｈのような多チャンネルで、聴きたい部分だけを据え置きＴＶ２００で聴くことが可能となる。【００４２】
さらに、上記コンテンツがＨ．２６３，ＭＰＥＧ−４およびＨ．２６４などで符号化された画像のコンテンツである場合、携帯端末１００の小さなディスプレイでは見難い部分のみを、据え置きＴＶ２００の大画面で見ることが可能となる。なお、上記コンテンツには画像のみならず、ＭＰ３やＡＡＣなどで符号化された楽音を一緒に多重化してもよい。
【産業上の利用可能性】
【００４３】
本発明はコンテンツ視聴システムに利用可能である。
【図１】
2007043427.tif 000003
【図２】
2007043427.tif 000004
【図３】
2007043427.tif 000005
【図４】
2007043427.tif 000006
【図５】
2007043427.tif 000007
【図６】
2007043427.tif 000008
【図７】
2007043427.tif 000009
【図８】
2007043427.tif 000010
【図９】
2007043427.tif 000011
【国際調査報告】
2007043427.tif 000012
2007043427.tif 000013
2007043427.tif 000014